(57)【要約】【課題】適正に組み付けることができるプロテクタ、及び、ワイヤハーネスを提供することを目的とする。【解決手段】ワイヤハーネスＷＨ１のプロテクタ１は、プロテクタ本体１０と、蓋部材２０と、係止機構３０とを備え、蓋部材２０は、蓋部２０ａと蓋側壁部２０ｂ、２０ｃとに渡って延在する係止確認孔２１、及び、蓋部２０ａの配索空間部１１側の面に形成され、係止確認孔２１を囲うリブ部を有し、プロテクタ本体１０は、係止機構３０によってプロテクタ本体１０と蓋部材２０とが正規位置で係止された状態でそれぞれリブ部の一部が位置する一対の切り欠き部１４、及び、一対の切り欠き部１４に挟まれて位置して突出方向Ｙに沿って延在して形成され、係止機構３０によってプロテクタ本体１０と蓋部材２０とが正規位置で係止された状態で係止確認孔２１に挿入され当該係止確認孔２１から露出する係止確認片１５を有することを特徴とする。【選択図】図２
2020043666.tif 000002
【特許請求の範囲】
【請求項１】
基部、及び、前記基部から突出して形成された本体側壁部を有し、前記基部と前記本体側壁部とによって形成され、導電性を有する配索材が配索される配索空間部、及び、前記本体側壁部の前記基部側とは反対側の端部によって形成され、前記本体側壁部の突出方向に沿って開口する開口部を含んで構成されるプロテクタ本体と、
前記開口部を塞ぐ蓋部、及び、前記蓋部から突出して形成され、前記蓋部が前記開口部を塞いだ状態で前記本体側壁部の前記配索空間部側とは反対側で当該本体側壁部と対向して位置する蓋側壁部を有する蓋部材と、
前記蓋部が前記開口部を塞ぐ正規位置で前記プロテクタ本体と前記蓋部材とを係止する係止機構とを備え、
前記蓋部材は、さらに、前記蓋部と前記蓋側壁部とに渡って延在し前記蓋部と前記蓋側壁部とを貫通する係止確認孔、及び、前記蓋部の前記配索空間部側の面に形成され、前記係止確認孔を囲うリブ部を有し、
前記プロテクタ本体は、さらに、前記本体側壁部の前記開口部側の端部に前記突出方向に沿って切り欠かれて形成され、前記係止機構によって前記プロテクタ本体と前記蓋部材とが前記正規位置で係止された状態でそれぞれ前記リブ部の一部が位置する一対の切り欠き部、及び、前記本体側壁部の前記開口部側の端部において前記一対の切り欠き部に挟まれて位置して前記突出方向に沿って延在して形成され、前記係止機構によって前記プロテクタ本体と前記蓋部材とが前記正規位置で係止された状態で前記係止確認孔に挿入され当該係止確認孔から露出する係止確認片を有することを特徴とする、
プロテクタ。
【請求項２】
前記係止機構は、前記プロテクタ本体、又は、前記蓋部材の一方に前記係止確認片とは別に設けられる係止片、前記係止片に形成された係止爪部、及び、前記プロテクタ本体、又は、前記蓋部材の他方に設けられ、前記係止爪部が係止される被係止部を有する、
請求項１に記載のプロテクタ。
【請求項３】
前記係止機構は、前記係止確認片に形成された係止爪部、及び、前記係止確認孔の縁部に設けられ、前記係止爪部が係止される被係止部を有する、
請求項１に記載のプロテクタ。
【請求項４】
導電性を有する配索材と、
前記配索材に装着され当該配索材を保護するプロテクタとを備え、
前記プロテクタは、
基部、及び、前記基部から突出して形成された本体側壁部を有し、前記基部と前記本体側壁部とによって形成され、前記配索材が配索される配索空間部、及び、前記本体側壁部の前記基部側とは反対側の端部によって形成され、前記本体側壁部の突出方向に沿って開口する開口部を含んで構成されるプロテクタ本体と、
前記開口部を塞ぐ蓋部、及び、前記蓋部から突出して形成され、前記蓋部が前記開口部を塞いだ状態で前記本体側壁部の前記配索空間部側とは反対側で当該本体側壁部と対向して位置する蓋側壁部を有する蓋部材と、
前記蓋部が前記開口部を塞ぐ正規位置で前記プロテクタ本体と前記蓋部材とを係止する係止機構とを備え、
前記蓋部材は、さらに、前記蓋部と前記蓋側壁部とに渡って延在し前記蓋部と前記蓋側壁部とを貫通する係止確認孔、及び、前記蓋部の前記配索空間部側の面に形成され、前記係止確認孔を囲うリブ部を有し、
前記プロテクタ本体は、さらに、前記本体側壁部の前記開口部側の端部に前記突出方向に沿って切り欠かれて形成され、前記係止機構によって前記プロテクタ本体と前記蓋部材とが前記正規位置で係止された状態でそれぞれ前記リブ部の一部が位置する一対の切り欠き部、及び、前記本体側壁部の前記開口部側の端部において前記一対の切り欠き部に挟まれて位置して前記突出方向に沿って延在して形成され、前記係止機構によって前記プロテクタ本体と前記蓋部材とが前記正規位置で係止された状態で前記係止確認孔に挿入され当該係止確認孔から露出する係止確認片を有することを特徴とする、
ワイヤハーネス。
【発明の詳細な説明】
【技術分野】
【０００１】
本発明は、プロテクタ、及び、ワイヤハーネスに関する。
【背景技術】
【０００２】
車両のワイヤハーネス等に適用される従来のプロテクタとして、例えば、特許文献１には、プロテクタ本体と、蓋体と、ロック機構とを備える電線収容プロテクタが開示されている。プロテクタ本体は、樋状に延びる。蓋体は、プロテクタ本体の上方開口部を覆蓋する。ロック機構は、プロテクタ本体と蓋体を固定的に保持する。この電線収容プロテクタは、弾性突片挿通孔に挿通された弾性突片の係合突起と係合部が係合して蓋体がプロテクタ本体に対して保持されるようになっている。そして、電線収容プロテクタは、プロテクタ本体の側壁の上面には、弾性突片挿通孔の近傍に蓋体側に向かって突出する嵌合突起が設けられている一方、蓋体には、平面視で嵌合突起に対応する位置に嵌合突起収容孔が貫設されている。
【先行技術文献】
【特許文献】
【０００３】
【特許文献１】特許第６１９８１８３号公報
【発明の概要】
【発明が解決しようとする課題】
【０００４】
ところで、上述の特許文献１に記載の電線収容プロテクタは、例えば、より確実に組み付けられる構成が望まれている。
【０００５】
本発明は、上記の事情に鑑みてなされたものであって、適正に組み付けることができるプロテクタ、及び、ワイヤハーネスを提供することを目的とする。
【課題を解決するための手段】
【０００６】
上記目的を達成するために、本発明に係るプロテクタは、基部、及び、前記基部から突出して形成された本体側壁部を有し、前記基部と前記本体側壁部とによって形成され、導電性を有する配索材が配索される配索空間部、及び、前記本体側壁部の前記基部側とは反対側の端部によって形成され、前記本体側壁部の突出方向に沿って開口する開口部を含んで構成されるプロテクタ本体と、前記開口部を塞ぐ蓋部、及び、前記蓋部から突出して形成され、前記蓋部が前記開口部を塞いだ状態で前記本体側壁部の前記配索空間部側とは反対側で当該本体側壁部と対向して位置する蓋側壁部を有する蓋部材と、前記蓋部が前記開口部を塞ぐ正規位置で前記プロテクタ本体と前記蓋部材とを係止する係止機構とを備え、前記蓋部材は、さらに、前記蓋部と前記蓋側壁部とに渡って延在し前記蓋部と前記蓋側壁部とを貫通する係止確認孔、及び、前記蓋部の前記配索空間部側の面に形成され、前記係止確認孔を囲うリブ部を有し、前記プロテクタ本体は、さらに、前記本体側壁部の前記開口部側の端部に前記突出方向に沿って切り欠かれて形成され、前記係止機構によって前記プロテクタ本体と前記蓋部材とが前記正規位置で係止された状態でそれぞれ前記リブ部の一部が位置する一対の切り欠き部、及び、前記本体側壁部の前記開口部側の端部において前記一対の切り欠き部に挟まれて位置して前記突出方向に沿って延在して形成され、前記係止機構によって前記プロテクタ本体と前記蓋部材とが前記正規位置で係止された状態で前記係止確認孔に挿入され当該係止確認孔から露出する係止確認片を有することを特徴とする。
【０００７】
また、上記プロテクタでは、前記係止機構は、前記プロテクタ本体、又は、前記蓋部材の一方に前記係止確認片とは別に設けられる係止片、前記係止片に形成された係止爪部、及び、前記プロテクタ本体、又は、前記蓋部材の他方に設けられ、前記係止爪部が係止される被係止部を有するものとすることができる。
【０００８】
また、上記プロテクタでは、前記係止機構は、前記係止確認片に形成された係止爪部、及び、前記係止確認孔の縁部に設けられ、前記係止爪部が係止される被係止部を有するものとすることができる。
【０００９】
上記目的を達成するために、本発明に係るワイヤハーネスは、導電性を有する配索材と、前記配索材に装着され当該配索材を保護するプロテクタとを備え、前記プロテクタは、基部、及び、前記基部から突出して形成された本体側壁部を有し、前記基部と前記本体側壁部とによって形成され、前記配索材が配索される配索空間部、及び、前記本体側壁部の前記基部側とは反対側の端部によって形成され、前記本体側壁部の突出方向に沿って開口する開口部を含んで構成されるプロテクタ本体と、前記開口部を塞ぐ蓋部、及び、前記蓋部から突出して形成され、前記蓋部が前記開口部を塞いだ状態で前記本体側壁部の前記配索空間部側とは反対側で当該本体側壁部と対向して位置する蓋側壁部を有する蓋部材と、前記蓋部が前記開口部を塞ぐ正規位置で前記プロテクタ本体と前記蓋部材とを係止する係止機構とを備え、前記蓋部材は、さらに、前記蓋部と前記蓋側壁部とに渡って延在し前記蓋部と前記蓋側壁部とを貫通する係止確認孔、及び、前記蓋部の前記配索空間部側の面に形成され、前記係止確認孔を囲うリブ部を有し、前記プロテクタ本体は、さらに、前記本体側壁部の前記開口部側の端部に前記突出方向に沿って切り欠かれて形成され、前記係止機構によって前記プロテクタ本体と前記蓋部材とが前記正規位置で係止された状態でそれぞれ前記リブ部の一部が位置する一対の切り欠き部、及び、前記本体側壁部の前記開口部側の端部において前記一対の切り欠き部に挟まれて位置して前記突出方向に沿って延在して形成され、前記係止機構によって前記プロテクタ本体と前記蓋部材とが前記正規位置で係止された状態で前記係止確認孔に挿入され当該係止確認孔から露出する係止確認片を有することを特徴とする。
【発明の効果】
【００１０】
本発明に係るプロテクタ、及び、ワイヤハーネスは、プロテクタ本体の配索空間部に配索材が配索され、係止機構を介してプロテクタ本体と蓋部材とが係止される。そして、プロテクタは、プロテクタ本体が一対の切り欠き部、及び、係止確認孔を有し、蓋部材が係止確認孔、及び、リブ部を有する。この構成において、プロテクタ本体と蓋部材とは、リブ部によって係止確認片を係止確認孔に案内し当該係止確認孔に位置させることで、確実に正規位置で位置決めできるので、係止機構によって確実に正規位置で相互に係止することができる。その上で、プロテクタ本体と蓋部材とは、係止機構によって正規位置で係止された状態で、リブ部の一部が一対の切り欠き部内に位置すると共に、係止確認片が係止確認孔から露出する。この構成により、プロテクタ、及び、ワイヤハーネスは、係止確認孔から露出する係止確認片を通じて、係止機構によってプロテクタ本体と蓋部材とが正規位置で係止されたことを確認させることができる。この結果、プロテクタ、及び、ワイヤハーネスは、適正に組み付けることができる、という効果を奏する。
【図面の簡単な説明】
【００１１】
【図１】図１は、実施形態１に係るプロテクタの概略構成を表す斜視図である。
【図２】図２は、実施形態１に係るプロテクタの概略構成を表す部分斜視図である。
【図３】図３は、実施形態１に係るプロテクタの蓋部材の概略構成を表す斜視図である。
【図４】図４は、実施形態１に係るプロテクタの蓋部材の係止確認孔、リブ部を含む部分斜視図である。
【図５】図５は、実施形態１に係るプロテクタの断面図である。
【図６】図６は、実施形態１に係るプロテクタの係止確認孔、リブ部、切り欠き部、係止確認片を含む部分断面図である。
【図７】図７は、実施形態２に係るプロテクタの概略構成を表す斜視図である。
【図８】図８は、実施形態２に係るプロテクタの概略構成を表す部分斜視図である。
【図９】図９は、実施形態２に係るプロテクタの蓋部材の概略構成を表す斜視図である。
【図１０】図１０は、実施形態２に係るプロテクタの断面図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
なお、以下で説明する図１、図５、図７、図１０は、配索材を二点鎖線で省略して図示し、他図は、配索材の図示自体を省略している。また、以下の説明では、互いに交差する第１方向、第２方向、及び、第３方向のうち、第１方向を「軸線方向Ｘ」といい、第２方向を「高さ方向Ｙ」といい、第３方向を「幅方向Ｚ」という。ここでは、軸線方向Ｘと高さ方向Ｙと幅方向Ｚとは、相互に直交（交差）する。軸線方向Ｘは、典型的には、当該プロテクタに挿通された配索材が延在する延在方向に相当する。高さ方向Ｙは、典型的には、プロテクタ本体と蓋部材とが積層される積層方向に相当し、本体側壁部が突出する突出方向に相当する。幅方向Ｚは、典型的には、一対の本体側壁部が対向する対向方向に相当する。また、図５、図１０は、高さ方向Ｙ、幅方向Ｚに沿った断面図（軸線方向Ｘと直交する断面図）である。以下の説明で用いる各方向は、特に断りのない限り、プロテクタの各部が組み付けられた状態での方向として説明する。
【００１４】
［実施形態１］
図１、図２、図３に示す本実施形態に係るプロテクタ１は、自動車等の車両に搭載されるワイヤハーネスＷＨ１に組み込まれ、導電性を有する配索材Ｗに外装され当該配索材Ｗを保護するものである。ワイヤハーネスＷＨ１は、例えば、車両に搭載される各機器間の接続のために、電源供給や信号通信に用いられる複数の配索材Ｗを束にして集合部品とし、コネクタ等で複数の配索材Ｗを各機器に接続するようにしたものである。ワイヤハーネスＷＨ１は、導電性を有する配索材Ｗと、配索材Ｗに装着され当該配索材Ｗを保護するプロテクタ１とを備える。配索材Ｗは、例えば、金属棒、電線、電線束等によって構成される。金属棒は、導電性を有する棒状部材の外側を、絶縁性を有する被覆部によって覆ったものである。電線は、複数の導電性を有する金属素線からなる導体部（芯線）の外側を、絶縁性を有する被覆部によって覆ったものである。電線束は、当該電線を束ねたものである。そして、本実施形態のワイヤハーネスＷＨ１は、配索材Ｗに組み付けられるプロテクタ１において、係止確認孔２１、リブ部２２、切り欠き部１４、係止確認片１５等が設けられることで当該プロテクタ１を適正に組み付けることができる構成を実現したものである。以下、各図を参照してプロテクタ１の構成について詳細に説明する。なお、ワイヤハーネスＷＨ１は、この他、さらに、電気接続箱、グロメット、固定具、コネクタ等を含んで構成されてもよい。
【００１５】
具体的には、プロテクタ１は、絶縁性を有する樹脂材料によって略筒形状に形成される。本実施形態のプロテクタ１は、配索材Ｗが挿通され当該配索材Ｗが直線状に配索されるものであるがこれに限らず、当該配索材Ｗが屈曲されて配索されるものであってもよい。プロテクタ１は、プロテクタ本体１０と、蓋部材２０と、係止機構３０とを備える。プロテクタ１は、プロテクタ本体１０と、蓋部材２０とが別体に形成され、係止機構３０によって当該プロテクタ本体１０と当該蓋部材２０とが相互に組み付けられる。プロテクタ１は、プロテクタ本体１０と蓋部材２０とが相互に組み付けられることで、全体として略筒形状、ここでは、略矩形筒形状に形成される。
【００１６】
プロテクタ本体１０は、内部に軸線方向Ｘに沿って配索材Ｗが挿通、配索されるものである。ここでは、プロテクタ本体１０は、軸線方向Ｘの両端部、及び、高さ方向Ｙの一端部が開口した略矩形樋形状に形成される。プロテクタ本体１０は、軸線方向Ｘに沿って一方の開口から他方の開口まで配索材Ｗが挿通される。
【００１７】
より詳細には、プロテクタ本体１０は、基部１０ａ、及び、一対の本体側壁部１０ｂ、１０ｃを有する。そして、プロテクタ本体１０は、基部１０ａ、及び、一対の本体側壁部１０ｂ、１０ｃによって形成される配索空間部１１、挿通開口部１２、及び、開閉開口部１３を含んで構成される。プロテクタ本体１０は、基部１０ａ、及び、一対の本体側壁部１０ｂ、１０ｃが一体となって上述したように略矩形樋形状に形成される。
【００１８】
基部１０ａは、プロテクタ本体１０の内部空間部として配索空間部１１を区画するための底体である。基部１０ａは、高さ方向Ｙが板厚方向となる略板状に形成される。基部１０ａは、軸線方向Ｘ、及び、幅方向Ｚに沿って延在する。基部１０ａは、高さ方向Ｙに沿って屈曲した部分等を有して形成される。
【００１９】
一対の本体側壁部１０ｂ、１０ｃは、プロテクタ本体１０の内部空間部として配索空間部１１を区画するための壁体である。一対の本体側壁部１０ｂ、１０ｃは、共に幅方向Ｚが板厚方向となる略板状に形成される。一対の本体側壁部１０ｂ、１０ｃは、基部１０ａから高さ方向Ｙに沿って突出して形成される。ここでは、高さ方向Ｙは、基部１０ａに対する各本体側壁部１０ｂ、１０ｃの突出方向に相当する。一対の本体側壁部１０ｂ、１０ｃは、軸線方向Ｘ、及び、高さ方向Ｙに沿って延在する。一対の本体側壁部１０ｂ、１０ｃは、幅方向Ｚに対して基部１０ａを挟んで両側に設けられ、幅方向Ｚに沿って間隔をあけて対向して位置する。ここでは、一対の本体側壁部１０ｂ、１０ｃは、基部１０ａの幅方向Ｚの両縁にそれぞれ設けられ、軸線方向Ｘに沿って基部１０ａの一方の端部から他方の端部まで延在する。言い換えれば、上述の基部１０ａは、幅方向Ｚに対してこれら一対の本体側壁部１０ｂ、１０ｃの間に位置し、両端部がそれぞれ各本体側壁部１０ｂ、１０ｃと接続される。一対の本体側壁部１０ｂ、１０ｃは、基部１０ａにおいて、高さ方向Ｙに対して同じ側に立設される。本体側壁部１０ｂと本体側壁部１０ｃとは、軸線方向Ｘ、及び、高さ方向Ｙに沿った長さがそれぞれほぼ同等である。ここでは、本体側壁部１０ｂは、幅方向Ｚに沿って屈曲した部分を有すると共に、外面側（配索空間部１１側とは反対側）に固定用のブラケット１０ｄ等を有して形成されている。本体側壁部１０ｃは、幅方向Ｚに沿って屈曲した部分等を有して形成される。
【００２０】
上記のように構成されるプロテクタ本体１０は、基部１０ａと一対の本体側壁部１０ｂ、１０ｃとによって、配索空間部１１、挿通開口部１２、及び、開閉開口部１３が形成される。配索空間部１１は、軸線方向Ｘに沿って配索材Ｗが配索される空間部である。配索空間部１１は、基部１０ａと一対の本体側壁部１０ｂ、１０ｃとによって囲われた内部空間部として形成される。挿通開口部１２は、配索空間部１１に配索材Ｗを挿通させる開口部である。挿通開口部１２は、一対の本体側壁部１０ｂ、１０ｃ、及び、基部１０ａによって軸線方向Ｘの両端部にそれぞれ形成される。一対の挿通開口部１２のうちの一方は、軸線方向Ｘに沿って一方側に開口する。一対の挿通開口部１２のうちの他方は、軸線方向Ｘに沿って他方側に開口する。開閉開口部１３は、配索空間部１１を外部に対して開放させる開口部であり、蓋部材２０によって塞がれる開口部である。開閉開口部１３は、例えば、配索空間部１１に配索材Ｗを挿通させる際に開放されると共に挿通後に蓋部材２０によって閉鎖される。開閉開口部１３は、一対の本体側壁部１０ｂ、１０ｃの基部１０ａ側とは反対側の端部によって形成される。開閉開口部１３は、高さ方向Ｙに沿って一方側、すなわち、基部１０ａ側とは反対側に開口する。
【００２１】
蓋部材２０は、プロテクタ本体１０に組み付けられ当該プロテクタ本体１０に形成された開閉開口部１３を塞ぐ（閉鎖する）ものである。蓋部材２０は、蓋部２０ａ、及び、一対の蓋側壁部２０ｂ、２０ｃを有する。蓋部材２０は、蓋部２０ａ、及び、一対の蓋側壁部２０ｂ、２０ｃが一体となって略板形状に形成される。
【００２２】
蓋部２０ａは、プロテクタ本体１０の開閉開口部１３を塞ぎ、配索空間部１１を区画するための蓋体である。蓋部２０ａは、高さ方向Ｙが板厚方向となる略板状に形成される。蓋部２０ａは、軸線方向Ｘ、及び、幅方向Ｚに沿って延在する。蓋部２０ａは、一対の本体側壁部１０ｂ、１０ｃの間に形成された開閉開口部１３の大部分を閉鎖可能な大きさの略矩形板状に形成される。
【００２３】
一対の蓋側壁部２０ｂ、２０ｃは、プロテクタ本体１０の一対の本体側壁部１０ｂ、１０ｃと重なる重複体である。一対の蓋側壁部２０ｂ、２０ｃは、共に幅方向Ｚが板厚方向となる略板状に形成される。一対の蓋側壁部２０ｂ、２０ｃは、蓋部２０ａから高さ方向Ｙに沿って突出して形成される。ここでは、高さ方向Ｙは、蓋部２０ａに対する各蓋側壁部２０ｂ、２０ｃの突出方向に相当する。一対の蓋側壁部２０ｂ、２０ｃは、軸線方向Ｘ、及び、高さ方向Ｙに沿って延在する。一対の蓋側壁部２０ｂ、２０ｃは、幅方向Ｚに対して蓋部２０ａを挟んで両側に設けられ、幅方向Ｚに沿って間隔をあけて対向して位置する。ここでは、一対の蓋側壁部２０ｂ、２０ｃは、蓋部２０ａの幅方向Ｚの両縁にそれぞれ設けられ、軸線方向Ｘに沿って蓋部２０ａの一方の端部から他方の端部まで延在する。言い換えれば、上述の蓋部２０ａは、幅方向Ｚに対してこれら一対の蓋側壁部２０ｂ、２０ｃの間に位置し、両端部がそれぞれ各蓋側壁部２０ｂ、２０ｃと接続される。一対の蓋側壁部２０ｂ、２０ｃは、蓋部２０ａにおいて、高さ方向Ｙに対して同じ側に立設される。蓋側壁部２０ｂ、２０ｃは、蓋部２０ａから高さ方向Ｙに沿ってプロテクタ本体１０側に向けて突出して形成される。蓋側壁部２０ｂと蓋側壁部２０ｃとは、軸線方向Ｘ、及び、高さ方向Ｙに沿った長さがそれぞれほぼ同等である。ここでは、蓋側壁部２０ｂ、２０ｃは、それぞれ、本体側壁部１０ｂ、１０ｃにおいて屈曲した部分と対応して、幅方向Ｚに沿って屈曲した部分等を有して形成される。
【００２４】
一対の蓋側壁部２０ｂ、２０ｃは、蓋部２０ａが開閉開口部１３を塞いだ状態（図１参照）で、本体側壁部１０ｂ、１０ｃの外側、すなわち、配索空間部１１側とは反対側で当該本体側壁部１０ｂ、１０ｃと対向して位置する。より詳細には、蓋側壁部２０ｂは、蓋部２０ａが開閉開口部１３を塞いだ状態で、幅方向Ｚに対して本体側壁部１０ｂの外側に位置し幅方向Ｚに沿って本体側壁部１０ｂと対向して重なる。蓋側壁部２０ｃは、蓋部２０ａが開閉開口部１３を塞いだ状態で、幅方向Ｚに対して本体側壁部１０ｃの外側に位置し幅方向Ｚに沿って本体側壁部１０ｃと対向して重なる。
【００２５】
係止機構３０は、プロテクタ本体１０と蓋部材２０とを正規位置（図１参照）で係止する機構である。ここで、正規位置とは、蓋部材２０の蓋部２０ａがプロテクタ本体１０の開閉開口部１３を塞ぎ、幅方向Ｚに沿って、本体側壁部１０ｂと蓋側壁部２０ｂとが対向して重なり、本体側壁部１０ｃと蓋側壁部２０ｃとが対向して重なる位置である。
【００２６】
具体的には、係止機構３０は、係止片３１、係止爪部３２、及び、被係止部３３を有する。
【００２７】
係止片３１は、プロテクタ本体１０、又は、蓋部材２０の一方、ここでは、蓋部材２０に設けられる。係止片３１は、蓋側壁部２０ｂ、２０ｃから高さ方向Ｙに沿ってプロテクタ本体１０側に向けて略矩形板状に突出して形成される。係止片３１は、蓋側壁部２０ｂ、２０ｃそれぞれにおいて軸線方向Ｘに沿って間隔をあけて複数設けられる。ここでは、係止片３１は、蓋側壁部２０ｂに３つ、蓋側壁部２０ｃに３つ、合計６つ形成される。
【００２８】
係止爪部３２は、各係止片３１に爪状に形成される。係止爪部３２は、被係止部３３に係止される部分である。係止爪部３２は、それぞれ各係止片３１の外面側（配索空間部１１側とは反対側）に１つずつ設けられる。
【００２９】
被係止部３３は、プロテクタ本体１０、又は、蓋部材２０の他方、ここでは、プロテクタ本体１０に設けられる。被係止部３３は、係止爪部３２が係止される部分である。被係止部３３は、係止片３１、係止爪部３２の数に応じて複数設けられる。ここでは、被係止部３３は、本体側壁部１０ｂに３つ、本体側壁部１０ｃに３つ、合計６つ形成される。各被係止部３３は、それぞれ高さ方向Ｙに沿って係止片３１、係止爪部３２と対向する位置に形成される。これにより、各被係止部３３は、プロテクタ本体１０と蓋部材２０とが正規位置にある状態で、それぞれ係止爪部３２を係止可能な位置に形成される。各被係止部３３は、軸線方向Ｘに沿って延在する板状部３３ａ、及び、当該板状部３３ａの両端部を支持する一対の支持部３３ｂを含んで構成される。各被係止部３３は、板状部３３ａの高さ方向Ｙの一方側（蓋部材２０側とは反対側）の端面が係止爪部３２を係止する係止端面を構成する。
【００３０】
上記のように構成される係止機構３０は、蓋部２０ａが開閉開口部１３を塞ぎ、本体側壁部１０ｂ、１０ｃと蓋側壁部２０ｂ、２０ｃとが対向して重なる正規位置で、各係止片３１が各被係止部３３の一対の支持部３３ｂの間に高さ方向Ｙに沿って挿入される。そして、係止機構３０は、各係止爪部３２が各被係止部３３に係止されることで、プロテクタ本体１０と蓋部材２０とを当該正規位置で係止することがきる。
【００３１】
そしてさらに、本実施形態のプロテクタ１は、図１、図２、図３、図４、図５、図６に示すように、蓋部材２０が係止確認孔２１、リブ部２２を有し、プロテクタ本体１０が切り欠き部１４、係止確認片１５を有することで、適正な組み付け性を確保している。
【００３２】
具体的には、係止確認孔２１は、蓋部２０ａと蓋側壁部２０ｂ、２０ｃとに渡って延在して形成される貫通孔である。係止確認孔２１は、蓋部２０ａと蓋側壁部２０ｂ、２０ｃとを貫通する。すなわち、係止確認孔２１は、蓋部２０ａと蓋側壁部２０ｂ、２０ｃとが交わることで形成される角部に設けられ、高さ方向Ｙに沿って蓋部２０ａを貫通し、幅方向Ｚに沿って蓋側壁部２０ｂ、２０ｃを貫通する。本実施形態の係止確認孔２１は、蓋部貫通部２１ａ、及び、側壁部貫通部２１ｂを含んで構成され、全体として略矩形状に形成される（図２、図３、図４、図５等参照）。蓋部貫通部２１ａは、係止確認孔２１において、高さ方向Ｙに沿って蓋部２０ａを貫通する部分である。側壁部貫通部２１ｂは、係止確認孔２１において、幅方向Ｚに沿って蓋側壁部２０ｂ、２０ｃを貫通する部分である。ここでは、係止確認孔２１は、蓋部２０ａと蓋側壁部２０ｂとの角部に３つ、蓋部２０ａと蓋側壁部２０ｃとの角部に３つ、合計６つ形成される。各係止確認孔２１は、それぞれ係止片３１の基端部近傍に１つずつ形成されている。
【００３３】
リブ部２２は、蓋部２０ａの配索空間部１１側の面であるリブ形成面２０ｄに形成され、係止確認孔２１を囲う部分である（図３、図４、図５、図６参照）。リブ部２２は、リブ形成面２０ｄから高さ方向Ｙに沿ってプロテクタ本体１０側に向けて枠状に突出して形成される。本実施形態のリブ部２２は、縦リブ部２２ａ、及び、一対の横リブ部２２ｂを含んで構成され、全体として略コの字型枠状に形成される。縦リブ部２２ａは、リブ部２２において、係止確認孔２１の蓋部貫通部２１ａの軸線方向Ｘに沿った縁部（幅方向Ｚの縁部）に、軸線方向Ｘに沿って延在して形成される部分である。縦リブ部２２ａは、幅方向Ｚに対して係止確認孔２１を挟んで蓋側壁部２０ｂ、２０ｃと対向して位置する。一対の横リブ部２２ｂは、リブ部２２において、係止確認孔２１の蓋部貫通部２１ａの幅方向Ｚに沿った両縁部（軸線方向Ｘの両縁部）に、それぞれ幅方向Ｚに沿って延在して形成される部分である。一対の横リブ部２２ｂは、軸線方向Ｘに対して係止確認孔２１を挟んで相互に対向して位置する。リブ部２２は、縦リブ部２２ａの両端部にそれぞれ横リブ部２２ｂが交わることで角部が形成される。リブ部２２は、各係止確認孔２１に対してそれぞれ１つずつ、合計６つ形成される。
【００３４】
切り欠き部１４は、本体側壁部１０ｂ、１０ｃの開閉開口部１３側の端部に高さ方向Ｙに沿って切り欠かれて形成された部分である（図２、図６等参照）。切り欠き部１４は、軸線方向Ｘに対して後述する係止確認片１５を挟んで一対で設けられる。一対の切り欠き部１４は、本体側壁部１０ｂ、１０ｃの開閉開口部１３側の端部から高さ方向Ｙに沿って延在して形成される。一対の切り欠き部１４は、係止機構３０によってプロテクタ本体１０と蓋部材２０とが正規位置で係止された状態で、それぞれリブ部２２の一部が位置する。一対の切り欠き部１４は、リブ部２２の数に応じて複数設けられる。ここでは、一対の切り欠き部１４は、本体側壁部１０ｂに３組、本体側壁部１０ｃに３組、合計６組が形成される。一対の切り欠き部１４は、それぞれ高さ方向Ｙに沿って横リブ部２２ｂと対向する位置に形成される。これにより、一対の切り欠き部１４は、プロテクタ本体１０と蓋部材２０とが正規位置にある状態で、それぞれ一対の横リブ部２２ｂの一部が挿入される位置に形成される。
【００３５】
係止確認片１５は、本体側壁部１０ｂ、１０ｃの開閉開口部１３側の端部において、軸線方向Ｘに対して一対の切り欠き部１４に挟まれて位置して高さ方向Ｙに沿って延在して形成された部分である（図２、図６等参照）。本実施形態の係止確認片１５は、上述した係止片３１とは別に設けられる。係止確認片１５は、本体側壁部１０ｂ、１０ｃの開閉開口部１３側の端部から高さ方向Ｙに沿って蓋部材２０側に向けて略矩形板状に突出して形成される。言い換えれば、係止確認片１５は、軸線方向Ｘの両側に一対の切り欠き部１４が形成されることで、高さ方向Ｙに沿って延在する板片状に形成される。係止確認片１５は、先端部が本体側壁部１０ｂ、１０ｃの開閉開口部１３側の端部よりもやや蓋部材２０側に突出して位置する。係止確認片１５は、係止機構３０によってプロテクタ本体１０と蓋部材２０とが正規位置で係止された状態で、係止確認孔２１に挿入され当該係止確認孔から露出する位置に形成される。係止確認片１５は、係止確認孔２１の数に応じて複数設けられる。ここでは、係止確認片１５は、本体側壁部１０ｂに３つ、本体側壁部１０ｃに３つ、合計６つが形成される。各係止確認片１５は、それぞれ高さ方向Ｙに沿って係止確認孔２１と対向する位置に形成される。これにより、各係止確認片１５は、プロテクタ本体１０と蓋部材２０とが正規位置にある状態で、それぞれ対応する係止確認孔２１に挿入される位置に形成される。また、各係止確認片１５は、先端部に、係止確認孔２１に挿入する際の拾い面となるテーパ面（傾斜面）１５ａが形成されている（図５等参照）。
【００３６】
以上で説明したプロテクタ１、ワイヤハーネスＷＨ１は、プロテクタ本体１０の配索空間部１１に配索材Ｗが配索され、係止機構３０を介してプロテクタ本体１０と蓋部材２０とが係止される。この結果、プロテクタ１、配索材Ｗを保護することができると共に、当該配索材Ｗの配索経路を規制することができる。
【００３７】
そして、プロテクタ１は、プロテクタ本体１０が一対の切り欠き部１４、及び、係止確認片１５を有し、蓋部材２０が係止確認孔２１、及び、リブ部２２を有する。この構成において、プロテクタ本体１０と蓋部材２０とは、リブ部２２によって係止確認片１５を係止確認孔２１に案内し確実に当該係止確認孔２１に位置させることができる（図１、図５、図６等参照）。この結果、プロテクタ１は、プロテクタ本体１０と蓋部材２０とを正規位置で位置決めした上で、係止機構３０によってプロテクタ本体１０と蓋部材２０とを確実に当該正規位置で相互に係止することができる。
【００３８】
その上で、各係止確認孔２１は、プロテクタ本体１０と蓋部材２０とが正規位置以外にある状態で開放された状態となる一方、プロテクタ本体１０と蓋部材２０とが係止機構３０によって正規位置で係止された状態で係止確認片１５によって閉塞された状態となる（図１、図５、図６等参照）。すなわち、プロテクタ１は、プロテクタ本体１０と蓋部材２０とが係止機構３０によって正規位置で係止された状態で、係止確認片１５が係止確認孔２１に挿入され当該係止確認孔２１から露出する。この構成により、プロテクタ１は、係止確認孔２１から露出する係止確認片１５を通じて、係止機構３０によってプロテクタ本体１０と蓋部材２０とが正規位置で係止されたことを確認させることができる。この場合、プロテクタ１は、係止確認孔２１が蓋部２０ａと蓋側壁部２０ｂ、２０ｃとに渡って延在して形成されているので、高さ方向Ｙ、及び、幅方向Ｚの双方から係止確認孔２１に露出する係止確認片１５を確認させることができる。この結果、プロテクタ１は、係止機構３０によってプロテクタ本体１０と蓋部材２０とが正規位置で係止されたことを目視にて確認させ易くすることができる。また、プロテクタ１は、蓋部２０ａと蓋側壁部２０ｂ、２０ｃとに渡って係止確認孔２１を形成しても、上述のリブ部２２が係止確認孔２１周りの補強部位として機能するので、当該係止確認孔２１を広く確保した上で、適正な強度も確保することができる。
【００３９】
またこのとき、プロテクタ１は、係止機構３０によってプロテクタ本体１０と蓋部材２０とが正規位置で係止された状態で、リブ部２２の一部が一対の切り欠き部１４内に位置する（図６等参照）。この構成により、プロテクタ１は、高さ方向Ｙに対する大型化を抑制した上で、リブ部２２が本体側壁部１０ｂ、１０ｃの開閉開口部１３側の端部と干渉することを防止することができる。この点においても、プロテクタ１は、係止機構３０によってプロテクタ本体１０と蓋部材２０を確実に正規位置で相互に係止することができる。
【００４０】
以上のことから、プロテクタ１、ワイヤハーネスＷＨ１は、配索材Ｗに対してプロテクタ本体１０、蓋部材２０を適正に組み付けた上で、プロテクタ本体１０と蓋部材２０とを適正に組み付けることができる。
【００４１】
ここでは、以上で説明したプロテクタ１、ワイヤハーネスＷＨ１は、係止機構３０が係止確認片１５とは別に設けられる係止片３１、係止片３１に形成された係止爪部３２、及び、係止爪部３２が係止される被係止部３３を有して構成される。このような構成において、プロテクタ１、ワイヤハーネスＷＨ１は、配索材Ｗに対してプロテクタ本体１０、蓋部材２０を適正に組み付けた上で、当該係止機構３０を介してプロテクタ本体１０と蓋部材２０とを適正に組み付けることができる。
【００４２】
［実施形態２］
実施形態２に係るプロテクタ、ワイヤハーネスは、係止爪部が係止確認片に設けられる点で実施形態１とは異なる。以下では、上述した実施形態と同様の構成要素には共通の符号が付されるとともに、共通する構成、作用、効果については、重複した説明はできるだけ省略する。
【００４３】
図７、図８、図９、図１０に示す本実施形態のワイヤハーネスＷＨ２が備えるプロテクタ２０１は、係止機構３０にかえて係止機構２３０を備える点で上述のプロテクタ１と異なる。プロテクタ２０１のその他の構成は、大きさや形状等が若干異なる部分があるものの、基本的には当該プロテクタ１と略同様の構成である。具体的には、本実施形態の係止機構２３０は、係止爪部２３２、及び、被係止部２３３を有する。
【００４４】
本実施形態の係止爪部２３２は、係止確認片１５に形成される点で上述の係止爪部３２と異なる。つまり、本実施形態の係止確認片１５は、係止爪部２３２が形成される係止片としても兼用される。係止爪部２３２のその他の構成は、大きさや形状等が若干異なる部分があるものの、基本的には当該係止爪部３２と略同様の構成である。係止爪部２３２は、各係止確認片１５に爪状に形成される。係止爪部２３２は、それぞれ各係止確認片１５の外面側（配索空間部１１側とは反対側）に１つずつ設けられる。
【００４５】
そして、本実施形態の被係止部２３３は、蓋部材２０に設けられる。被係止部２３３は、係止爪部２３２が係止される部分である。本実施形態の被係止部２３３は、係止確認孔２１の縁部に設けられる。より具体的には、被係止部２３３は、係止確認孔２１を構成する側壁部貫通部２１ｂの高さ方向Ｙの縁部（軸線方向Ｘに沿った縁部）に設けられる。
【００４６】
上記のように構成される係止機構２３０は、蓋部２０ａが開閉開口部１３を塞ぎ、本体側壁部１０ｂ、１０ｃと蓋側壁部２０ｂ、２０ｃとが対向して重なる正規位置で、各係止確認片１５が高さ方向Ｙに沿って各係止確認孔２１に挿入される。そして、係止機構２３０は、各係止確認片１５に形成された各係止爪部２３２が各係止確認孔２１の縁部に設けられた各被係止部２３３に係止されることで、プロテクタ本体１０と蓋部材２０とを当該正規位置で係止することがきる。
【００４７】
以上で説明したプロテクタ２０１、ワイヤハーネスＷＨ２は、プロテクタ１、ワイヤハーネスＷＨ１と同様に、配索材Ｗに対してプロテクタ本体１０、蓋部材２０を適正に組み付けた上で、プロテクタ本体１０と蓋部材２０とを適正に組み付けることができる。ここでは、プロテクタ２０１は、係止確認片１５を係止片として兼用し、当該係止確認片１５に設けられた係止爪部２３２が係止確認孔２１に設けられた被係止部２３３に係止されることで、プロテクタ本体１０と蓋部材２０とを正規位置で係止することがきる。この結果、プロテクタ２０１、ワイヤハーネスＷＨ２は、適正な組み付けを実現するための構成の一部を係止機構２３０としても兼用することができるので、大型化を抑制した上で、適正な組み付け性を実現することができる。
【００４８】
なお、上述した本発明の実施形態に係るプロテクタ、及び、ワイヤハーネスは、上述した実施形態に限定されず、特許請求の範囲に記載された範囲で種々の変更が可能である。
【００４９】
以上の説明では、係止機構３０は、係止片３１が蓋部材２０に設けられ、被係止部３３がプロテクタ本体１０に設けられるものとして説明したがこれに限らない。係止機構３０は、係止片３１がプロテクタ本体１０に設けられ、被係止部３３が蓋部材２０に設けられる構成であってもよい。
【００５０】
以上の説明では、第１方向である軸線方向Ｘと第２方向である高さ方向Ｙと第３方向である幅方向Ｚとは、相互に略直交するものとして説明したがこれに限らず、少なくとも相互に交差していればよい。
【符号の説明】
【００５１】
１、２０１    プロテクタ
１０    プロテクタ本体
１０ａ    基部
１０ｂ、１０ｃ    本体側壁部
１０ｄ    ブラケット
１１    配索空間部
１２    挿通開口部
１３    開閉開口部（開口部）
１４    切り欠き部
１５    係止確認片
２０    蓋部材
２０ａ    蓋部
２０ｂ、２０ｃ    蓋側壁部
２０ｄ    リブ形成面
２１    係止確認孔
２１ａ    蓋部貫通部
２１ｂ    側壁部貫通部
２２    リブ部
２２ａ    縦リブ部
２２ｂ    横リブ部
３０、２３０    係止機構
３１    係止片
３２、２３２    係止爪部
３３ａ    板状部
３３ｂ    支持部
３３、２３３    被係止部
ＷＨ１、ＷＨ２    ワイヤハーネス
Ｘ    軸線方向
Ｙ    高さ方向（突出方向）
Ｚ    幅方向
【図１】
2020043666.tif 000003
【図２】
2020043666.tif 000004
【図３】
2020043666.tif 000005
【図４】
2020043666.tif 000006
【図５】
2020043666.tif 000007
【図６】
2020043666.tif 000008
【図７】
2020043666.tif 000009
【図８】
2020043666.tif 000010
【図９】
2020043666.tif 000011
【図１０】
2020043666.tif 000012